(57)【要約】      （修正有）【課題】従来の賞状、卒業証書、合格証、絵手紙、書、色紙、写真など軽量な掲額品用の額縁は木製のものが多く、１）その重量は掲額品のそれに対して過重で、２）正面外形、辺枠の色彩、デザインのオリジナル化・おしゃれ化には対応が困難で、３）裏面での掲額品の入れ替えに手数を要する、などの問題を解決できる額縁を提供する。【解決手段】１）に対しては発泡プラスチック、段ボール材、ハードボードの積層構造で必要な強度を保ちながら軽量化し、２）に対しては、４種類の正面外形をもつ辺枠のパーツ１〜４に分割して製作し、適宜に組み合わせて接合し、多様な正面外形化を可能にし、また、額縁の表面を布、紙、プラスチック、発泡スチロールなどに加工を施して被覆し、３）に対しては額縁裏面の長手方向の、又は、相対する辺枠の間に渡した面ファスナーで取り付け・取り外しが簡単なブリッジ板を設けることで解決した。【選択図】図８
0003209143.tif 000002
【実用新案登録請求の範囲】
【請求項１】
本考案の額縁は３種類の異なる正面外形をもつ辺枠パーツとして分割して製作した後、４個を組み合わせて接合し、多様な正面外形の額縁の枠体を製作するものです。辺枠パーの奥行は３種類の材料の積層構造です。額縁正面、及び、側面を布、紙、プラスチック、は、発泡スチロールで被覆します。被覆材には印刷、又は、プリントを施す他、必要に応じて裏打ち、型押し、成形などの加工を施します。辺枠パーツの組み合わせ接合によってできる線をコーナー飾りで覆います。
【請求項２】
本考案の額縁の正面・側面を一体成形の発泡スチロールで被覆します。被覆の面上に任意の形状の深さ１ミリ程度の凹部を、任意の数量と場所に設けます。別に、１ミリ程度の厚紙をこれらの凹部の形状に合わせてカットしたものを用意し、凹部に嵌め込み、接着します。なお、厚紙面上には掲額品に因んだデザインの印刷を施します。
【請求項３】
請求項１による額縁の裏面には面ファスナーによって取り付け・取り外しが容易なブリッジ板を相対する枠の間に渡して、掲額品の入れ替え手順を簡単にする構造です。このブリッジ板上には傾斜角度調節付き卓上スタンド機能、縦吊り下げ紐用孔、及び、横吊下げ紐用孔を設けます。
【考案の詳細な説明】
【技術分野】
【０００１】本考案は３種類の基本的平面外形を持つパーツ化した辺枠の組み合わせで多様な平面外形が得られる額縁に関するものです。額縁の正面・側面を掲額品に因んでデザインした布、紙、プラスチック、発泡スチロールなど任意の材料で被覆し、おしゃれ化します。また、額縁の裏面の掲額品の入れ替え手数の簡単化に関するものです。
【背景技術】
【０００２】従来の額縁には正面外形が方形のものが多く、上辺・下辺と左辺・右辺とでは長さの異なる台形の各辺枠を組み合わせたものがあります（例えば、特許文献１参照。）。
【先行技術文献】
【特許文献】
【０００３】
【特許文献１】特開２００２−２６２９７２
【考案の概要】
【考案が解決しようとする課題】
【０００４】上記の文献による額縁について、正面外形は方形に限定され、方形以外の形状の多様化に対応していません。また、額縁の枠体に掲額品に因んだデザインを施すことに関して記述がありません。掲額品の入れ替え機能に関して記述がありませんが、従来から広く採用されている方式は四隅を金具などで止めるもので、手数を要しました。
【課題を解決するための手段】
【０００５】本考案の額縁の請求項１に関わる額縁本体を構成する各々の辺枠を基本的に異なる３種類の正面形状のパーツとして分割して製作し、４個を組み合わせて接合するもので、多様な正面外形のものが得られます。額縁の正面、及び、側面を掲額品に因んでデザインした布、紙、プラスチック、又は、発泡スチロールで被覆します。被覆材には必要に応じて印刷、プリント、裏打ち、型押し、成形などの加工を施します。
３種類の辺枠パーツの正面外形を図によって説明すると、図１は辺枠パーツＡの平面図で、長方形の両端を長さ方向に角度ａ（４５度）に切断して台形とし、更に、切断線の先端から略１／４から１／３の範囲の点で角度ｂ（９０度）に切断したもので、不等辺６角形です。
図２は辺枠パーツＡのＡ−Ａ線の断面図で、３種類の材料の積層構造を示します。
図３は辺枠パーツＢの平面図で、辺枠パーツＡの最長辺を円弧形に拡張した一例です。
図４は辺枠パーツＢのＡ−Ａ線の断面図で、３種類の材料の積層構造を示します。
図５は辺枠パーツＣの平面図で、辺枠パーツＡの最長辺を台形に拡張した一例です。
図６は辺枠パーツＣのＡ−Ａ線の断面図で、３種類の材料の積層構造を示します。
本考案で得られる多様な正面外形を持つ額縁の例を図によって説明すると、図７は辺枠パーツＡを３個、及び、辺枠パーツＣを１個組み合わせて接合した例で、接合により生じた線をコーナー飾りで覆います。
図８は辺枠パーツＢを１個、辺枠パーツＡを２個、及び、辺枠パーツＣを１個組み合わせて接合した例で、接合によって生じた線をコーナー飾りで覆います。
図９は辺枠パーツＢを４個組み合わせて接合した例で、接合により生じた線をコーナー飾りで覆います。
請求項２に関して図１０によって説明しますと、額縁の四辺の正面、及び、側面の被覆を一体化成形した発泡スチロールで行います。被覆体の正面の任意の場所に、深さ１ミリ程度の任意の形状の凹部を任意の数量設けます。別に、任意の形状の凹部に嵌め込むための厚さ１ミリ程度の厚紙をこれらの凹部の形状に合わせてカットしたチップを作り、凹部に嵌め込み、接着します。なお、チップの表面には掲額品に因んだイラストレーション、写真、文字などの印刷を施します。
請求項３に関わる額縁裏面の構造に関して図１１によって説明しますと、長手方向の、又は、相対する辺枠の間に渡して、面ファスナーによって取り付け・取り外しを容易にしたブリッジ板によって掲額品の入れ替え手数を削減します。また、ブリッジ板上には傾斜角度調節機能付き卓上スタンド、縦吊り下げ紐用孔、及び、横吊り下げ紐用孔を設けます。
【考案の効果】
【０００６】額縁の正面外形の多様化、及び、辺枠を掲額品に因んだデザインを施した布、紙、プラチック、発泡スチロールなどで被覆することでオリジナル化・おしゃれ化が容易です。
また、裏面の長手方向、又は、相対する辺枠体の間に渡す面ファスナーで取り付け・取外しが容易なブリッジ板によって掲額品の入れ替え手数が削減できます。
【図面の簡単な説明】
【０００７】
【図１】本考案の辺枠パーツＡの正面の一例を示す平面図
【図２】図１に示す辺枠パーツＡのＡ−Ａ線における断面図
【図３】本考案の辺枠パーツＢの正面の一例を示す平面図
【図４】図３に示す辺枠パーツＢのＡ−Ａ線における断面図
【図５】本考案の辺枠パーツＣの正面の一例を示す平面図
【図６】図５に示す辺枠パーツＣのＡ−Ａ線における断面図
【図７】辺枠パーツを組み合わせた額縁正面の一例を示す平面図
【図８】辺枠パーツを組み合わせた額縁正面の一例を示す平面図
【図９】辺枠パーツを組み合わせた額縁正面の一例を示す平面図
【図１０】額縁正面・側面を発泡スチロールの一体成形被覆する一例を示す平面図
【図１１】本考案による額縁の裏面を示す平面図
【産業上の利用可能性】
【０００８】本考案による額縁は従来品における重量が掲額品のそれに対して過重である問題、正面外形、色彩、デザイン、質感の多様化、オリジナル化、おしゃれ化に対応が困難という課題を解決できるので、下記の分野・場面にて利用の可能性があります。
１）各種の賞状、合格証、卒業証書、検定証の授与では、従来は該当品に筒ケースを添えて渡す場合が多いが、掲額品とオリジナル額縁とのセットで授与すれば、帰宅後に額縁調達の必要が無く、直ちに飾ることが可能です。また、絵手紙、スケッチ、書、写真などでも利用できます。
２）演劇や各種のショーでは観客による写真撮影は禁止されていますが、主催者のカメラマンが当日の公演中に撮影したものを「今日の想い出ステージ」として、その日の終演後にオリジナル額縁とのセットで販売が可能です。
３）美術館・博物館・水族館・動物園のお土産ショップではオリジナル絵葉書とオリジナル額縁とのセットで販売が可能です。
４）市民マラソンでの参加証としてコースマップ、日時・走行時間・天候・気温などのデータ記入欄、本人の走行中の写真が入れられる欄などがあるカードをオリジナル額縁とのセットで渡すことが可能です。
５）ゴルフ場では、コースマップ、日時・時間記録・天候・気温、成績、同行メンバーなどのデータ記入欄、ホール番号とスイング写真を入れる欄などがあるカードを季節感豊かにデザインしたオリジナル額縁とのセットで販売が可能です。
６）旅行関係では、船中泊のあるクルージングではオリジナル額縁に船長のサインを入て販売が可能です。また、豪華列車クルージングや宿泊を伴う旅程などでウエルカムカードとオリジナル額縁をセットにした景品として使えます。
７）幼稚園においては、請求項２の発泡スチロール被覆の場合（図１０参照）、嵌め込チップの数を凹部の数よりも多く、また、凹部の形状に合わない形状のチップを用意し、嵌め込み作業を幼稚園児にやらせれば、取捨選択、形の認識能力、好みの傾向把握など、教育玩具的な効果もあります。
【図１】
0003209143.tif 000003
【図２】
0003209143.tif 000004
【図３】
0003209143.tif 000005
【図４】
0003209143.tif 000006
【図５】
0003209143.tif 000007
【図６】
0003209143.tif 000008
【図７】
0003209143.tif 000009
【図８】
0003209143.tif 000010
【図９】
0003209143.tif 000011
【図１０】
0003209143.tif 000012
【図１１】
0003209143.tif 000013
【手続補正書】
【提出日】平成28年12月8日(2016.12.8)
【手続補正１】
【補正対象書類名】実用新案登録請求の範囲
【補正対象項目名】全文
【補正方法】変更
【補正の内容】
【実用新案登録請求の範囲】
【請求項１】
３種類の異なる正面外形をもつ辺枠パーツとして分割して製作した後、４個を組み合わせて接合し、多様な正面外形の額縁の枠体を製作するもので、辺枠パーツの奥行きは複数種類の材料の積層構造を有し、額縁正面、及び、側面を布、紙、プラスチック、又は、発泡スチロールで被覆し、被覆材には印刷、又は、プリントを施す他、型押し、成形などの加工を施し、辺枠パーツの組み合わせ接合によって生ずる線をコーナー飾りで覆った額縁。
【請求項２】
請求項１に記載の額縁において、額縁の正面、及び、側面を一体成形のプラスチック、又は、発泡スチロールで被覆し、被覆の面上に任意の形状の深さ１ミリ程度の凹部を任意の数量の場所に設け、別途、厚さ１ミリ程度の厚紙に掲額品に因んだデザインの印刷を施して、凹部の形状に合わせてカットしたものを用意し、凹部に嵌め込み、接着した額縁。
【請求項３】
請求項１、および、請求項２のいずれかに記載の額縁において、額縁の裏側に面ファスナーにより取り付け、取り外しが容易なブリッジ板を相対する辺枠の間に渡し、掲額品の入れ替え手順を簡単にする他、このブリッジ板上には傾斜角度付き卓上スタンド機能、縦吊り下げ紐用孔、及び、横吊り下げ紐用孔を設けた額縁。